(57)【要約】【課題】複数の排液発生源に対応する場合において、吸引源と廃棄容器との接続構造を簡素化すると共に、廃棄容器の取換え作業を容易化することができる排液処理器を提供する。【解決手段】本発明の排液処理器は、前記吸引源に繋がる排気口を有するハウジングと、複数の排液発生源にそれぞれ対応する複数の廃棄容器と、を備え、前記複数の廃棄容器は、それぞれ、吸引側連通口と排気側連通口とを備え、前記排液処理器は、前記複数の廃棄容器を前記ハウジングの内部空間に収容し、前記吸引源からの負圧により前記ハウジングの内部空間を減圧することで、前記複数の廃棄容器の内部空間がそれぞれ前記排気側連通口を通じて減圧され、前記複数の排液発生源からそれぞれ前記排液が前記吸引側連通口を通じて前記複数の廃棄容器の内部空間に吸引されるようになっていることを特徴とするものである。【選択図】図１
2016049235.tif 000002
【特許請求の範囲】
【請求項１】
吸引源からの負圧により生体から吸引した排液を収容し、廃棄するための排液処理器において、
前記吸引源に繋がる排気口を有するハウジングと、
複数の排液発生源にそれぞれ対応する複数の廃棄容器と、を備え、
前記複数の廃棄容器は、それぞれ、吸引側連通口と排気側連通口とを備え、
前記排液処理器は、前記複数の廃棄容器を前記ハウジングの内部空間に収容し、前記吸引源からの負圧により前記ハウジングの内部空間を減圧することで、前記複数の廃棄容器の内部空間がそれぞれ前記排気側連通口を通じて減圧され、前記複数の排液発生源からそれぞれ前記排液が前記吸引側連通口を通じて前記複数の廃棄容器の内部空間に吸引されるようになっていることを特徴とする排液処理器。
【請求項２】
前記ハウジングは、前記複数の排液発生源にそれぞれ繋がる複数の吸気口を備え、
前記複数の吸気口は、それぞれ、前記複数の廃棄容器を前記ハウジングの内部空間に収容することにより、前記複数の廃棄容器の前記吸引側連通口に連結される、請求項１に記載の排液処理器。
【請求項３】
前記複数の廃棄容器の前記吸引側連通口は、それぞれ、ゴム栓を備え、
前記ハウジングの前記複数の吸気口は、それぞれ、前記ゴム栓を穿刺する瓶針を備える、請求項２に記載の排液処理器。
【請求項４】
前記複数の廃棄容器の前記排気側連通口には、前記排液の通過を阻止するフィルタが配置されており、
前記複数の廃棄容器の前記吸引側連通口は、前記フィルタの排液吸込口よりも上方に配置されている、請求項１〜３のいずれか一項に記載の排液処理器。
【発明の詳細な説明】
【技術分野】
【０００１】
本発明は、吸引源からの負圧により生体から吸引した排液を収容し、廃棄するための排液処理器に関し、特に、複数の排液発生源に対応する場合において、吸引源と廃棄容器との接続構造を簡素化すると共に、廃棄容器の取換え作業を容易化しようとするものである。
【背景技術】
【０００２】
医療現場において、吸引源からの負圧により患者などの生体から吸引した痰や、誤嚥物、或いは膿汁、分泌物や体液などの排液を収容し、廃棄するための排液処理器として、複数の排液発生源（例えば、或る生体の喉と、他の生体の喉）に対応できるものが知られている（例えば、特許文献１参照）。
【０００３】
このような排液処理器は、吸引源に繋がる排気口を有するハウジングと、該ハウジングに保持されると共に、複数の排液発生源にそれぞれ対応する複数の廃棄容器と、を備えている。そして、ハウジングと複数の廃棄容器との間には、複数の廃棄容器をそれぞれ吸引源に接続するための複数の接続部材が設けられている。
【０００４】
また、このような排液処理器では、排液の廃棄に際しては、複数の廃棄容器をそれぞれ、前記した複数の接続部材から切り離すと共に、複数の排液発生源から切り離して、廃棄容器ごと廃棄するようになっていた。
【先行技術文献】
【特許文献】
【０００５】
【特許文献１】特許第４６２７３５３号公報
【発明の概要】
【発明が解決しようとする課題】
【０００６】
しかしながら、特許文献１に記載されるような従来の排液処理器では、ハウジングと複数の廃棄容器との間に、複数の廃棄容器をそれぞれ吸引源に接続するための複数の接続部材を設ける必要があり、構造が複雑であった。
【０００７】
また、排液を廃棄する際には、使用済みの廃棄容器を未使用のものと取換えるために、複数の廃棄容器をそれぞれ、前記した複数の接続部材から切り離すと共に、複数の排液発生源から切り離した上、未使用の複数の廃棄容器をそれぞれ、前記した複数の接続部材に接続すると共に、複数の排液発生源に接続する必要があり、廃棄容器の取換え作業が煩雑であった。
【０００８】
本発明は、前記の現状に鑑み開発されたもので、複数の排液発生源に対応する場合において、吸引源と廃棄容器との接続構造を簡素化すると共に、廃棄容器の取換え作業を容易化することができる排液処理器を提供することを目的とする。
【課題を解決するための手段】
【０００９】
本発明の排液処理器は、吸引源からの負圧により生体から吸引した排液を収容し、廃棄するための排液処理器において、前記吸引源に繋がる排気口を有するハウジングと、複数の排液発生源にそれぞれ対応する複数の廃棄容器と、を備え、前記複数の廃棄容器は、それぞれ、吸引側連通口と排気側連通口とを備え、前記排液処理器は、前記複数の廃棄容器を前記ハウジングの内部空間に収容し、前記吸引源からの負圧により前記ハウジングの内部空間を減圧することで、前記複数の廃棄容器の内部空間がそれぞれ前記排気側連通口を通じて減圧され、前記複数の排液発生源からそれぞれ前記排液が前記吸引側連通口を通じて前記複数の廃棄容器の内部空間に吸引されるようになっていることを特徴とするものである。
【００１０】
ここで、本発明の排液処理器は、前記ハウジングが、前記複数の排液発生源にそれぞれ繋がる複数の吸気口を備え、前記複数の吸気口が、それぞれ、前記複数の廃棄容器を前記ハウジングの内部空間に収容することにより、前記複数の廃棄容器の前記吸引側連通口に連結されることが好ましい。
【００１１】
また、本発明の排液処理器は、前記複数の廃棄容器の前記吸引側連通口が、それぞれ、ゴム栓を備え、前記ハウジングの前記複数の吸気口が、それぞれ、前記ゴム栓を穿刺する瓶針を備えることが好ましい。
【００１２】
さらに、本発明の排液処理器は、前記複数の廃棄容器の前記排気側連通口には、前記排液の通過を阻止するフィルタが配置されており、前記複数の廃棄容器の前記吸引側連通口は、前記フィルタの排液吸込口よりも上方に配置されていることが好ましい。
【発明の効果】
【００１３】
本発明によれば、複数の廃棄容器をハウジングの内部空間に収容し、ハウジングの内部空間を減圧することで、複数の廃棄容器の内部空間がそれぞれ減圧されて、複数の排液発生源からそれぞれ排液を複数の廃棄容器の内部空間に吸引することができる。したがって、ハウジングと複数の廃棄容器との間には、複数の廃棄容器をそれぞれ吸引源に接続するための複数の接続部材を設ける必要がない。
【００１４】
したがって、本発明によれば、複数の排液発生源に対応する場合において、吸引源と廃棄容器との接続構造を簡素化すると共に、廃棄容器の取換え作業を容易化することができる排液処理器を提供することができる。
【図面の簡単な説明】
【００１５】
【図１】本発明の一実施形態に係る排液処理器を示す斜視図である。
【図２】図１の排液処理器を示す縦断面図である。
【図３】図１の排液処理器におけるハウジングの開閉の様子を示す斜視図である。
【図４】図１の排液処理器の変形例におけるハウジングの開閉の様子を示す斜視図である。
【図５】図１の排液処理器の他の変形例の一部を示す縦断面図である。
【図６】図１の排液処理器の更なる他の変形例の一部を示す縦断面図である。
【発明を実施するための形態】
【００１６】
以下、図１〜図６を参照して、本発明の一実施形態に係る排液処理器について詳細に例示説明する。
なお、本明細書において、上下方向とは、排液処理器の使用時における鉛直方向を意味し、下方とは重力が向う鉛直方向下方を意味し、上方とはその反対方向を意味するものとする。
【００１７】
図１〜図２に示すように、本実施形態に係る排液処理器１は、ハウジング２と、第１の廃棄容器３ａと、第２の廃棄容器３ｂと、を備えており、医療施設などに備わる吸引源からの負圧により患者などの生体から吸引した排液を収容し、廃棄できるように構成されている。本実施形態では、２つの排液発生源（例えば、或る生体の喉と、他の生体の喉）に対応して２つの廃棄容器３ａ，３ｂを備えているが、これに代え、３つ以上の排液発生源に対応して３つ以上の廃棄容器を備える構成とすることもできる。
【００１８】
ハウジング２は、吸引源に排気チューブ４を介して繋がる排気口５を備えている。なお、吸引源と排気チューブ４との間には、インジケータとダイヤルとを有する吸引圧力調節器Ｒが設けられ、吸引源からの負圧を調節できるようになっている。また、ハウジング２は、第１の排液発生源に第１の吸引チューブ６ａを介して繋がる第１の吸気口７ａと、第２の排液発生源に第２の吸引チューブ６ｂを介して繋がる第２の吸気口７ｂと、を備えている。
【００１９】
また、ハウジング２は、ハウジング本体８と、該ハウジング本体８に対し、ヒンジ９を介して回動可能な蓋体１０と、を備え、ハウジング本体８を蓋体１０によって閉鎖することで、排気口５及び吸気口７ａ，７ｂを除く部分が密閉された内部空間を形成するようになっている。本実施形態では、排気口５はハウジング本体８に設けられ、吸気口７ａ，７ｂは蓋体１０に設けられ、ヒンジ９は、ハウジング本体８の側方に設けられている。そして、ハウジング２は、図３に示すように、側方に開閉可能になっている。
【００２０】
図１〜図２に示したように、ハウジング２の内部空間には、第１の廃棄容器３ａと、第２の廃棄容器３ｂとが収容されている。第１の廃棄容器３ａは、吸引側連通口１１ａと排気側連通口１２ａとを備えている。同様に、第２の廃棄容器３ｂも、吸引側連通口１１ｂと排気側連通口１２ｂとを備えている。
【００２１】
そして、第１及び第２の廃棄容器３ａ，３ｂをハウジング２の内部空間に収容することにより、第１及び第２の吸気口７ａ，７ｂが、それぞれ、吸引側連通口１１ａ，１１ｂに連結されるようになっている。具体的には、第１及び第２の廃棄容器３ａ，３ｂの吸引側連通口１１ａ，１１ｂは、それぞれ、ゴム栓１３ａ，１３ｂを備え、ハウジング２の第１及び第２の吸気口７ａ，７ｂは、それぞれ、ゴム栓１３ａ，１３ｂを穿刺する瓶針１４ａ，１４ｂを備えている。そして、蓋体１０に第１及び第２の廃棄容器３ａ，３ｂを、第１及び第２の廃棄容器３ａ，３ｂのゴム栓１３ａ，１３ｂが蓋体１０の瓶針１４ａ，１４ｂに穿刺されるように設置し、蓋体１０を閉めることで、第１及び第２の廃棄容器３ａ，３ｂをハウジング２の内部空間に収容することができる。或いは、ハウジング本体８に第１及び第２の廃棄容器３ａ，３ｂを設置し、蓋体１０を閉めることで、第１及び第２の廃棄容器３ａ，３ｂのゴム栓１３ａ，１３ｂを蓋体１０の瓶針１４ａ，１４ｂに穿刺させつつ、第１及び第２の廃棄容器３ａ，３ｂをハウジング２の内部空間に収容することができる。また、吸引側連通口１１ａ，１１ｂは、後述するフィルタ１５ａ，１５ｂの排液吸込口（本例では、排気側連通口１２ａ，１２ｂの先端）よりも上方に配置されている。
【００２２】
そして、排液処理器１は、第１及び第２の廃棄容器３ａ，３ｂをハウジング２の内部空間に収容し、吸引源からの負圧によりハウジング２の内部空間を減圧することで、第１及び第２の廃棄容器３ａ，３ｂの内部空間がそれぞれ排気側連通口１２ａ，１２ｂを通じて減圧され、第１及び第２の排液発生源からそれぞれ排液が吸引側連通口１１ａ，１１ｂを通じて第１及び第２の廃棄容器３ａ，３ｂの内部空間に吸引されるようになっている。
【００２３】
具体的には、第１及び第２の廃棄容器３ａ，３ｂの排気側連通口１２ａ，１２ｂには、それぞれ、空気の通過は許容する一方で排液の通過は阻止するフィルタ１５ａ，１５ｂが配置されている。また、ハウジング２の内側表面と第１及び第２の廃棄容器３ａ，３ｂの外側表面との間には、排気口５と排気側連通口１２ａ，１２ｂとを連通させる隙間Ｇが形成されている。
【００２４】
なお、フィルタ１５ａ，１５ｂは、例えば、空気の通過は許容する一方で排液の通過は阻止する不織布で構成することができる。あるいは、メンブランフィルタや、排液との接触により膨張して通気孔を塞ぐ吸水性材料（例えば、吸水性樹脂をコートした不織布）でフィルタ１５ａ，１５ｂを構成してもよく、その他の構成とすることもできる。本実施形態では、排気側連通口１２ａ，１２ｂは側方に延びる流路を形成しており、フィルタ１５ａ，１５ｂは、排気側連通口１２ａ，１２ｂの基端及び先端を除く中間部内に収まるように配置されている。
【００２５】
なお、第１及び第２の廃棄容器３ａ，３ｂは、例えば合成樹脂製とすることができ、未使用時の収納性を考慮し、折り畳み可能な柔軟性を有する袋状に構成することが好ましい。或いは、第１及び第２の廃棄容器３ａ，３ｂは、そのような柔軟性を有さない剛性容器としてもよい。また、第１及び第２の廃棄容器３ａ，３ｂの内部には、必要に応じて、吸水材を配置したり、殺菌、消毒のための薬剤（例えば、次亜塩素酸塩や二酸化塩素を発生する薬剤など）を配置したりすることができる。なお、吸水材や殺菌、消毒のための薬剤を設ける場合には、水溶性の膜で覆われた吸水材を配置し、吸引された排液に触れることで膜が溶解して吸水材が露出するようにしてもよい。
【００２６】
かかる構成になる本実施形態に係る排液処理器１によれば、第１及び第２の廃棄容器３ａ，３ｂをハウジング２の内部空間に収容し、ハウジング２の内部空間を減圧することで、第１及び第２の廃棄容器３ａ，３ｂの内部空間がそれぞれ減圧されて、２つの排液発生源からそれぞれ排液を第１及び第２の廃棄容器３ａ，３ｂの内部空間に吸引することができる。したがって、ハウジング２と第１及び第２の廃棄容器３ａ，３ｂとの間には、第１及び第２の廃棄容器３ａ，３ｂをそれぞれ吸引源に接続するための複数の接続部材を設ける必要がない。したがって、２つの排液発生源に対応する場合において、吸引源と第１及び第２の廃棄容器３ａ，３ｂとの接続構造を簡素化すると共に、第１及び第２の廃棄容器３ａ，３ｂの取換え作業を容易化することができる。
【００２７】
また、排液処理器１によれば、ハウジング２は、複数の排液発生源にそれぞれ繋がる第１及び第２の吸気口７ａ，７ｂを備え、第１及び第２の吸気口７ａ，７ｂは、それぞれ、第１及び第２の廃棄容器３ａ，３ｂをハウジング２の内部空間に収容することにより、第１及び第２の廃棄容器３ａ，３ｂの吸引側連通口１１ａ，１１ｂに連結されるようになっているため、第１及び第２の廃棄容器３ａ，３ｂの取換え作業をより一層容易化することができる。
【００２８】
具体的には、第１及び第２の廃棄容器３ａ，３ｂの吸引側連通口１１ａ，１１ｂは、それぞれ、ゴム栓１３ａ，１３ｂを備え、ハウジング２の第１及び第２の吸気口７ａ，７ｂは、それぞれ、ゴム栓１３ａ，１３ｂを穿刺する瓶針１４ａ，１４ｂを備える構成としたので、簡単な構造によって、前述した第１及び第２の廃棄容器３ａ，３ｂの取換え作業をより一層容易化できるという効果を得ることができる。
【００２９】
また、排液処理器１によれば、吸引側連通口１１ａ，１１ｂにゴム栓１３ａ，１３ｂを配置したことで、排液を廃棄するため、廃棄容器３ａ，３ｂをハウジング２から取り出して運搬する際に、排液が吸引側連通口１１ａ，１１ｂから飛び出すことを防止することができる。また、誤って廃棄容器３ａ，３ｂを落下させた時にも排液が吸引側連通口１１ａ，１１ｂから飛び出すことを防止することができる。
【００３０】
また、排液処理器１によれば、第１及び第２の廃棄容器３ａ，３ｂの排気側連通口１２ａ，１２ｂには、それぞれ、空気の通過は許容する一方で排液の通過は阻止するフィルタ１５ａ，１５ｂが配置されているため、第１及び第２の排液発生源から吸引した排液が廃棄容器３ａ，３ｂ内に貯まり、フィルタ１５ａ，１５ｂの排液吸込口（排気側連通口１２ａ，１２ｂの先端）に達すると、吸引力の伝達をフィルタ１５ａ，１５ｂで遮断し、第１及び第２の排液発生源からの排液の吸引を停止させることができる。また、吸引側連通口１１ａ，１１ｂはフィルタ１５ａ，１５ｂの排液吸込口よりも上方に配置されているため、生体から吸引した排液が廃棄容器３ａ，３ｂ内に貯まり吸引側連通口１１ａ，１１ｂに達する前に、フィルタ１５ａ，１５ｂによって排液の吸引を停止させることができる。
【００３１】
さらに、排液処理器１によれば、排気側連通口１２ａ，１２ｂは側方に延びる流路を形成しており、フィルタ１５ａ，１５ｂは、排気側連通口１２ａ，１２ｂの基端及び先端を除く中間部内に収まるように配置されているので、吸引側連通口１１ａ，１１ｂから流入する排液が、例えば廃棄容器３ａ，３ｂ内部の壁面を伝って排気側連通口１２ａ，１２ｂに向って流れた場合でも、該排液がフィルタ１５ａ，１５ｂに接触することが防止される。すなわち、フィルタ１５ａ，１５ｂは、排気側連通口１１ａ，１１ｂの先端には配置されていないため、吸引側連通口１１ａ，１１ｂから流入する排液との意図しない接触が防止される。
【００３２】
前述したところは、本発明の一実施形態を示したにすぎず、特許請求の範囲において、種々の変更を加えることができる。例えば、ハウジング２は、蓋体１０の開閉操作を容易にする観点から、図３に示したように蓋体１０を側方から開閉させる構成としているが、これに代えて、図４に示すように、ヒンジ９をハウジング本体８の上方に設け、蓋体１０を上下方向に開閉させる構成としてもよい。この場合には、蓋体１０を閉める動作により、複数の吸気口７ａ，７ｂと複数の吸引側連通口１１ａ，１１ｂとを同時に連結させることができる。
【００３３】
また、前述した実施形態では、第１及び第２の廃棄容器３ａ，３ｂの吸引側連通口１１ａ，１１ｂにはゴム栓１３ａ，１３ｂを設け、ハウジング２の第１及び第２の吸気口７ａ，７ｂには瓶針１４ａ，１４ｂを設ける構成としたが、このような構成に代えて、例えば、図５に示すように、吸引側連通口１１ａ，１１ｂにはダックビル弁などの逆止弁１６ａ，１６ｂを設け、吸気口７ａ，７ｂには、吸引側連通口１１ａ，１１ｂに挿入される吸引側挿入管１７ａ，１７ｂを設ける構成とすることもできる。なお、図５中、符号１８ａ，１８ｂは気密性を確保するためのＯリングである。
【００３４】
また、そのような構成に代えて、例えば、図６に示すように、ハウジング２には吸引側貫通孔１９ａ，１９ｂを設け、吸引側連通口１１ａ，１１ｂには、吸引側貫通孔１９ａ，１９ｂを貫通する吸引側貫通管２０ａ，２０ｂと、逆止弁１６ａ，１６ｂとを設ける構成とすることもできる。なお、図６中、符号２１ａ，２１ｂは気密性を確保するためのＯリングである。なお、このような構成とする場合には、第１及び第２の廃棄容器３ａ，３ｂの取換えに際しては、吸引側貫通管２０ａ，２０ｂと吸引チューブ６ａ，６ｂとの脱着作業が必要となる。
【符号の説明】
【００３５】
１  排液処理器
２  ハウジング
３ａ  第１の廃棄容器
３ｂ  第２の廃棄容器
４  排気チューブ
５  排気口
６ａ  第１の吸引チューブ
６ｂ  第２の吸引チューブ
７ａ  第１の吸気口
７ｂ  第２の吸気口
８  ハウジング本体
９  ヒンジ
１０  蓋体
１１ａ，１１ｂ  吸引側連通口
１２ａ，１２ｂ  排気側連通口
１３ａ，１３ｂ  ゴム栓
１４ａ，１４ｂ  瓶針
１５ａ，１５ｂ  フィルタ
１６ａ，１６ｂ  逆止弁
１７ａ，１７ｂ  吸引側挿入管
１８ａ，１８ｂ  Ｏリング
１９ａ，１９ｂ  吸引側貫通孔
２０ａ，２０ｂ  吸引側貫通管
２１ａ，２１ｂ  Ｏリング
Ｒ  吸引圧力調節器
Ｇ  隙間
【図１】
2016049235.tif 000003
【図２】
2016049235.tif 000004
【図３】
2016049235.tif 000005
【図４】
2016049235.tif 000006
【図５】
2016049235.tif 000007
【図６】
2016049235.tif 000008